(57)【要約】【課題】  電子マネーや店舗のＰＡＮと通信可能な携帯端末において、電子マネーの決済履歴情報や携帯端末の行動履歴情報の匿名性を確保するシステムを提供する。【解決手段】  携帯端末と前記携帯端末とプライベートエリアネットワーク（ＰＡＮ）をつくる複数の情報端末からなる本発明の個人情報収集システムの携帯端末は、ＰＡＮの探索信号を受信すると接続経緯のない未接続のＰＡＮかを判定し、未接続のＰＡＮの場合にはＰＡＮごとに当該携帯端末の一時ＩＤを発行し、前記情報端末と通信をおこなって情報端末側の情報取得をおこない、本発明の情報端末は、ＰＡＮ固有の識別子を含む探索信号を送信し、携帯端末から前記一時ＩＤを受信すると前記携帯端末に当該ＰＡＮの接続権限を割り当てて情報授受を可能にした。【選択図】図１
2009080594.tif 000002
【特許請求の範囲】
【請求項１】
携帯端末と前記携帯端末とプライベートエリアネットワーク（ＰＡＮ）をつくる複数の情報端末からなる個人情報システムにおいて、
前記携帯端末は、ＰＡＮの探索信号を受信すると接続経緯のない未接続のＰＡＮかを判定し、未接続のＰＡＮの場合にはＰＡＮごとに当該携帯端末の一時ＩＤを発行し、前記情報端末と通信をおこなって情報端末側の情報取得をおこない、
前記情報端末は、ＰＡＮ固有の識別子を含む探索信号を送信し、携帯端末から前記一時ＩＤを受信すると、前記携帯端末に当該ＰＡＮの接続権限を割り当てて情報授受を可能にすることを特徴とする個人情報収集システム。
【請求項２】
請求項１に記載の個人情報収集システムは、さらに、
前記携帯端末から前記携帯端末に固有のＩＤを受信すると既知の固有ＩＤか否かを判定し、既知の固有ＩＤの場合には前記携帯端末と通信をおこない携帯端末が取得した情報を取得する個人情報サーバを備え、前記個人情報サーバに前記携帯端末の使用者のプロファイルを蓄積することを特徴とする個人情報収集システム。
【発明の詳細な説明】
【技術分野】
【０００１】
本発明は、センサーネットワークやプライベートネットワーク（以後合わせてＰＡＮと呼ぶ）を通じて個人の行動履歴情報を携帯端末に収集し、収集した行動履歴を個人プロファイルとして収集するシステムに係わり、特に収集される行動履歴の匿名性を確保する方法に関する。
【背景技術】
【０００２】
インターネットの普及により店舗情報や商品情報など様々な情報がネットワーク経由で入手できるようになったが、ユーザは公開された膨大な情報から効率よく検索、選択する必要が生じている。このため、ユーザ自身の嗜好にあった情報を容易に収集したいという要求が高まっている。例えば、特定のＷｅｂサイトではユーザの閲覧履歴や購買履歴を元に、同様の嗜好を持った他のユーザ情報を元に商品を推薦する協調フィルタリングと呼ばれる手法で、ユーザ嗜好に合った情報の提供の試みが行われている。
【０００３】
しかし一方で、ユーザのプライバシーや個人情報保護のためにユーザ自身の嗜好の無制限な開示をしない方法が望まれている。
【０００４】
このために、例えば特開平１１−３４５２４８号公報には個人のプロファイルを詳細に登録し、開示許可したプロファイルだけを元にユーザ嗜好に合った商品を選択する方法が提案されている。
【０００５】
また、特開２００１−２９０９９０号公報には匿名性を保ったままでの売買を保障することにより売買の履歴を収集し、マーケットリサーチに使う技術が提案されている。
【０００６】
【特許文献１】特開平１１−３４５２４８号公報
【特許文献２】特開２００１−２９０９９０号公報
【発明の開示】
【発明が解決しようとする課題】
【０００７】
しかし、特許文献１に示された方法で個人プロファイルを入力するには手間がかかる点や年齢と共に嗜好が変化した場合などに個人プロファイルの修正が必要になるため、個人プロファイルを適切に維持する事が難しいという問題がある。
【０００８】
また、特許文献２に示された方法では入手できる情報が限られる点や嗜好が変化に対応しにくいという問題がある。
【０００９】
現在はＷｅｂサイトでのユーザの行動履歴を元に個人プロファイル情報が収集されているが、今後電子マネーの普及やＰＡＮが普及に伴い、ユーザが携帯する情報端末とＰＡＮの通信履歴や電子マネーの決済履歴などを通じて個人の詳細な行動履歴が収集可能になると、これを元に個人プロファイルを生成する方法が考えられる。
【００１０】
しかし一方で、店舗側が連携すれば、情報端末や電子マネーの識別情報（以降ＩＤと呼ぶ）を元にユーザの行動履歴をトレースし、ほぼ完全なユーザの行動履歴を取得する事が可能になりプライバシーが守れない虞がある。
【００１１】
本発明の目的は、上記の電子マネーや店舗のＰＡＮと通信可能な携帯端末の匿名性を確保するという問題を解決し、電子マネーの決済履歴や携帯端末の行動履歴から個人プロファイル情報を生成し、必要に応じて個人プロファイル情報を店舗に提供する事によりユーザニーズや嗜好に合ったサービスの提供を受ける事を可能にするためのシステムを提供する事にある。
【課題を解決するための手段】
【００１２】
上記課題を解決するために、携帯端末と前記携帯端末とプライベートエリアネットワーク（ＰＡＮ）をつくる複数の情報端末からなる本発明の個人情報収集システムの携帯端末は、ＰＡＮの探索信号を受信すると接続経緯のない未接続のＰＡＮかを判定し、未接続のＰＡＮの場合にはＰＡＮごとに当該携帯端末の一時ＩＤを発行し、前記情報端末と通信をおこなって情報端末側の情報取得をおこない、本発明の情報端末は、ＰＡＮ固有の識別子を含む探索信号を送信し、携帯端末から前記一時ＩＤを受信すると前記携帯端末に当該ＰＡＮの接続権限を割り当てて情報授受を可能にした。
【００１３】
さらに、本発明の個人情報収集システムは、さらに、個人情報サーバを備える構成とし、この個人情報サーバは、前記携帯端末から前記携帯端末に固有のＩＤを受信すると既知の固有ＩＤか否かを判定し、既知の固有ＩＤの場合には前記携帯端末と通信をおこない携帯端末が取得した情報を取得するようにして、個人情報サーバに前記携帯端末の使用者のプロファイルを蓄積するようにした。
【発明の効果】
【００１４】
上記手段を設ける事によって、電子マネーや携帯端末のＩＤ情報を頻繁に変更することで、匿名性を確保する事ができるため、個人情報の漏洩の心配なく電子マネーやＰＡＮとの通信が可能になる。
【００１５】
また、電子マネーの決済履歴や携帯端末の行動履歴を個人情報サーバに蓄積し、その行動履歴から個人プロファイルを生成する事で常に余計な手間をかけることなく、最新の個人プロファイルを維持する事ができるようになる。
【００１６】
店舗は個人プロファイル情報を得る事ができなくても、店舗ＰＡＮで店舗や商品の情報を直接または後でインターネットから情報を取得するためのＵＲＬをユーザの携帯端末に送信することで、店舗や商品の宣伝が可能になる。また、店舗内での行動履歴を収集する事でマーケティング情報を収集する事もできる。
【００１７】
店舗ＰＡＮ経由で個人プロファイルを要求し個人プロファイルを入手できた場合には、得られた個人プロファイル情報を元に、よりユーザにカスタマイズされた情報を提供する事が可能になる。
【００１８】
例えばレストランで食事後、電子マネーの決済時に注文した食事の情報などを電子マネーあるいは携帯端末に登録するようにすれば、後で注文した食事のカロリーや食材の情報をＷｅｂ経由で確認する事ができるようになる。
【００１９】
ユーザの帰宅時に自宅の個人情報サーバに行動履歴や店舗からの情報などへ記録情報を移行してデータベースとして蓄積し、ジャンル毎や日付別、地域別などで統計を取り一覧表示することで嗜好性の高い情報を表示装置へ表示する。また、ユーザの行動履歴と関連深い店舗や商品などの最新情報をインターネット経由してＷＥＢサーバから取得し表示装置へ表示する事などが可能になる。
【００２０】
また、行動履歴からブログの大枠を自動生成することもできる。
【発明を実施するための最良の形態】
【００２１】
図１は、この発明の１実施形態による携帯端末と店舗端末、および自宅の電子演算処理装置（以下、個人情報サーバとする）による情報連携を示す説明する図である。店舗向け店舗端末１００は、センサーネット１０１ａ、１０１ｂを有し、ユーザＡが店舗内へ入店するとセンサが検知すると店舗端末１００はユーザＡの携帯端末２００ａとネットワークを構築する。ネットワークが構築された携帯端末２００ｂを持つユーザＢが商品を手に取るなど商品に興味を示すとセンサ１０１ｂが検知して、店舗端末１００は検知したセンサ１０１ｂに近い位置にある携帯端末２００ｂへ商品情報のデータを送信する。
【００２２】
店舗情報や商品情報などのデータを記憶した携帯端末２００ｂが自宅へ戻ると、自宅の個人情報サーバ３００ｂとネットワーク構築され、データが個人情報サーバ３００ｂに蓄積される。個人情報サーバ３００ａは、端末装置２００ａのデータを蓄積する。各個人情報サーバ３００ａ、３００ｂはデータを集計してプロファイルを作成し行動履歴として表示する。また、記憶情報に基づいてインターネット４００経由で店舗Ｗｅｂサーバ５００から新着情報や商品詳細情報を入手して表示する。
【００２３】
図２は、携帯電話のブロック図であり、本発明と関係する機能ブロックのみ抽出して示してある。携帯電話は店舗の電子計算処理装置からの情報を無線アンテナ２０１と送受信回路２０２で受信すると、ＧＰＳ処理部２０３で計測された位置情報と、時計機能２０４で取得する時刻情報を演算処理部２０５で受信情報へ付加し、その出力データをデータ記憶部２０６で記憶する。受信した情報は演算処理部２０５で画面生成し情報表示部２０７で表示できる。また、自宅の電子計算処理装置で作成するプロファイルデータを記憶する。
【００２４】
図３は、店舗端末のブロック図である。本発明と関係する機能ブロックのみ抽出して示してある。例えばユーザの入店で赤外線センサ１０１ａが検知すると検知信号を演算処理部１０４で受信し、ユーザの携帯端末と送受信回路１０３と無線アンテナ１０２によりＰＡＮに接続される。接続時に携帯端末で生成された一時的な一時ＩＤは接続している間中はＩＤ記憶部１０６に保存される。
【００２５】
重量センサ１０１ｂは陳列商品の下に敷くことで商品が取り上げられたことを検知する。重量センサ１０１ｃは陳列商品の正面床に敷くことでユーザが商品正面に立ち止まったことを検知する。カメラシステム１０１ｄは商品背面などに配置してユーザの視点を解析しユーザが興味を示した商品を特定する。
【００２６】
演算処理部１０４は、前記センサで特定した商品に関する情報を情報記憶部１０５から読み出し、センサに反応したユーザを携帯端末の現在位置から特定して、対象の携帯端末へ情報を送信する。
【００２７】
また、電子マネー処理部１０７では携帯端末との電子マネーの決済処理を行う。
【００２８】
図４は、携帯端末と店舗端末とのＰＡＮ接続時のＩＤ送信を説明する図である。携帯端末２００は、店舗端末Ａ（１００ａ）へは携帯端末で乱数から一時ＩＤａを作成し店舗端末Ａへ送信しＰＡＮ（ａ）に接続する。さらに携帯端末２００がＰＡＮ（ａ）に接続したまま、店舗端末Ｂ（１００ｂ）のＰＡＮエリアに入ると、一時ＩＤａと異なる一時ＩＤｂを作成し、店舗端末Ｂへ送信しＰＡＮ（ｂ）に接続する。このように、携帯端末はＰＡＮへ接続する毎に異なる一時ＩＤを作成する。これにより携帯端末から固定ＩＤを送信することなく匿名性を保つ。
【００２９】
図５は、携帯端末と店舗端末とのＰＡＮ接続時の通信を説明する図である。店舗端末はＰＡＮ内に携帯端末が入って来ていないか確認するためにＰＡＮ固有のＩＤを含む探査信号を送信（６０１）する。店舗端末のＰＡＮ内に入った携帯端末は探査信号を受信（７０１）すると、ＰＡＮのＩＤから未接続のＰＡＮであるか判断（７０２）し、既に接続済みのＰＡＮからの探査信号であれば、待機状態へ移行する。
【００３０】
未接続のＰＡＮからの探査信号であれば、携帯端末は一時ＩＤを生成（７０３）し、店舗端末へ一時ＩＤを送信（７０４）する。店舗端末は一時ＩＤを受信（６０２）すると、携帯端末にＰＡＮ接続権限を割当（６０３）て、承諾信号を送信（６０４）する。携帯端末は承諾信号を受信（７０５）するとＰＡＮ接続完了となる。
【００３１】
図６は、店舗端末の店舗情報を携帯端末に保存する方法を説明するフローチャートである。店舗端末が店舗情報を送信（６１１）すろと、携帯端末は店舗情報を受信（７１１）し、情報へ年月日時を付加（７１２）し、ＧＰＳより位置情報を付加（７１３）する。付加された情報は携帯端末内のデータ記憶部へ保存（７１４）される。
【００３２】
図７は、店舗端末の商品情報を携帯端末に保存する方法を説明するフローチャートである。例えば陳列商品の下に重量センサである商品センサが設置してある場合、ユーザが商品を取り上げると、店舗端末は重量変化を検出（６２１）し、センサに対応する商品情報を送信（６２２）する。携帯端末は商品情報を受信（７２１）すると、情報へ年月日時を付加（７２２）し、ＧＰＳより位置情報を付加（７２３）する。付加された情報は携帯端末内のデータ記憶部へ保存（７２４）される。
【００３３】
図８は、ユーザ自宅の個人情報サーバのブロック図である。本発明と関係する機能ブロックのみ抽出して示してある。個人情報サーバ３００は定期的に携帯端末を検索する確認信号を送受信回路部３０２から無線アンテナ３０１を通して通信する。携帯端末とは携帯端末のユニークな固定ＩＤでＰＡＮ接続され、許可された携帯端末の固有ＩＤをＩＤ記憶部にて保存される。携帯端末から携帯電話の情報記憶部のデータを受信すると、情報記憶部３０４へ蓄積する。蓄積した情報記憶部のデータを演算処理部３０３で集計してプロファイルを作成し、プロファイル記憶部３０５へ記録する。
【００３４】
また、情報記憶部に蓄積された情報からインターネット端末部３０５を介して店舗サーバや商品紹介サーバへアクセスし、最新情報や詳細情報を入手し、情報記憶部３０４へ蓄積する。ユーザは情報表示部３０７にてプロファイル記憶部３０５の集計情報やインターネットから取得した最新情報および詳細情報を確認できる。
【００３５】
図９は、個人情報サーバと携帯端末とのＰＡＮ接続時のＩＤ送信を説明するフローチャートである。個人情報サーバはＰＡＮ内に携帯端末が入っていないか検索のため確認信号を送信（８１１）する。携帯端末は確認信号を受信（７５１）すると固有ＩＤを送信（７５２）する。
【００３６】
固有ＩＤを受信（８１２）した個人情報サーバは既知の固有ＩＤであるか判別（８１３）し、未知の固有ＩＤである場合パスワード要求信号を送信（８１４）する。パスワード要求信号を受信（７５３）した携帯端末は、携帯端末の情報表示部と入力部でユーザへパスワードを確認の処理（７５４）を行い、パスワードを判別（７５５）し一致しない場合はエラー信号を送信（７５６）する。個人情報サーバはエラー信号を受信（８１５）すると処理を終了し受信待機となる。
【００３７】
ステップ７５５でパスワードが一致すると携帯端末は承諾信号を送信（７５７）する。承諾信号を受信（８１６）した個人情報サーバは、携帯端末の固有ＩＤをＩＤ記憶部へ登録（８１７）し、ＰＡＮ接続権限を割当（８１８）を行い、携帯端末へ承認信号を送信（８１９）する。これにより承認信号を受信（７５８）した携帯端末はＰＡＮに接続される。また、ステップ８１３で既知のＩＤと判断された場合、ステップ８１７へ移行し、ＰＡＮ接続処理を実施する。
【００３８】
図１０は、携帯端末の情報データを個人情報端末に蓄積することを説明するフローチャートである。個人情報サーバが情報送信依頼信号を送信（８２１）し、携帯端末が情報送信依頼信号を受信（７６１）すると、データ記憶部に保存された全ての情報データを送信（７６２）する。個人情報サーバは情報データを受信（８２２）すると、情報記憶部のデータへ追加（８２３）する。また、情報記憶部のデータが追加される度にプロファイルデータの作成（８２４）を行い、その結果をプロファイル記憶部へ更新（８１０）する。
【００３９】
図１１は、店舗および商品情報として提供するデータの記述形式を説明する図であり、（ａ）は店舗情報、（ｂ）は商品情報を提供する場合の例である。データ内には＜カテゴリ＞、＜名称＞、＜ＵＲＬ＞、＜トピック＞等の基本情報を記述することで、装置間での連携を取る。＜カテゴリ＞には店、商品およびどの様な形態であるかをカテゴリ区分として定義して、そのカテゴリ区分に合致した記述方法で記入する。＜名称１＞には店舗名または商品名など情報に関する特定できる名称を記述し、オプションとして＜名称２＞として店であれば本支店名などの追加情報を商品であればメーカ名などを記述する。
【００４０】
＜ＵＲＬ＞には対象のホームページのＵＲＬを記述しユーザがインターネットでアクセス可能とする。＜ＲＳＳ＞にはＲｉｃｈＳｉｔｅＳｕｍｍａｒｙなどでサイトの更新情報をメタデータで配布するＵＲＬを記述する。＜トピック＞は備考欄として簡易情報を記述しインターネットにアクセスしなくても端末で本欄を表示により広告または説明を可能とする。
【００４１】
図１２は、個人情報サーバのプロファイル記憶部に記憶するデータを説明する図である。（ａ）は携帯端末で収集したデータの取得年月日時、カテゴリ区分、名称、データファイルのファイル名が収録されたプロファイルデータの構造である。このプロファイルデータを集計しランクデータを作成する。個人情報サーバはプロファイルデータから各ジャンルのランキングを集計する。（ｂ）はプロファイルデータをユーザへ提示する画面である。スケジュール表としてユーザの履歴を一覧で画面に表示する。
【００４２】
図１３は、プロファイルデータから集計の方法を説明する図である。（ａ）はランキング集計時に使用するジャンル毎の重み付けされた得点の例である。プロファイルデータの日付から名称毎に得点をカウントすることで、ユーザ嗜好に合った集計を可能とする。これにより、例えば冬にはスキー場などの季節的な場所が上位にランクされるジャンルに適したランキング集計を行うことができる。（ｂ）は２００７．３．１６にジャンル：ショップである□△商店について集計した結果の例である。また、個人情報サーバは、プロファイルデータから形態基礎解析等の技術を利用して重要な事項を私的、公的などで分別しながらピックアップし、自動でブログを生成し表示する。
【００４３】
図１４は、プロファイルデータの集計結果をユーザへ提示する画面の説明である。（ａ）はジャンル毎にランキング上位の新着情報を表示している。ランキング上位からデータに指定されたＲＳＳまたはＵＲＬへアクセスして新着情報をチェックし、新着情報がある場合表示する。表示の文にはＵＲＬがリンクされ、ユーザが選択することでホームページが容易にたどり着くことが出来る。（ｂ）はランキングをジャンル毎に表示した画面の例である。
【００４４】
図１５は、本発明によるＩＤ変更型電子マネーの決済ステムを説明する図である。プリペイド方式の電子マネー２００では、チャージ時にチャージ端末６００はユニークなＩＤａを生成して、ライタ６０１で電子マネーにＩＤａを書き込む。ユーザは店舗等で電子マネーの支払いを行う場合、店舗端末１００のリーダ１０７により電子マネー２００からＩＤａが読み取られ、店舗端末１００は決済サーバ５０１に照合し決済される。再びユーザが電子マネー２００へチャージすると、チャージ端末６００は新たにユニークなＩＤｂを生成し、電子マネーのＩＤをＩＤｂへ変更すると同時に、決済サーバ５０１のＩＤ情報をＩＤｂへ更新する。これにより、店舗から商品購入履歴等をトレースされることなく、匿名性を保つことが出来る。
【００４５】
図１６は、本発明の１実施例のシステム形態を示す図であって、ユーザが許可した特定の情報だけを提供することで、個人にカスタマイズされたサービスを受けられるようにするために用いる事ができる。例えばユーザが自らの体重、血圧、カロリー情報等の健康管理情報を提供することを許可した場合、店舗情報機能を内蔵する電子体重計１００ａで体重情報を収集し、店舗情報機能を内蔵する電子血圧計１００ｂで血圧情報を収集し、レストランの店舗端末で食事したメニュー情報から自宅の個人サーバ３００ａでインターネット４００経由でレストランのＷｅｂサーバ５００からカロリー情報を取得し、携帯端末に保存する。ユーザが会員となったスポーツクラブの個人情報サーバや掛かりつけの病院の個人情報サーバへ携帯端末を登録すると、上述の個人プロファイルである情報を送信することで、スポーツクラブではユーザに適したトレーニングメニューを作成できたり、病院であればユーザに適した健康管理が行えたりできる。
【図面の簡単な説明】
【００４６】
【図１】本発明の一実施形態によるシステムを示す説明する図である。
【図２】携帯端末のブロック図の例を説明する図である。
【図３】店舗端末のブロック図の例を説明する図である。
【図４】携帯端末と店舗端末とのＰＡＮ接続時のＩＤ送信を説明する図である。
【図５】携帯端末と店舗端末とのＰＡＮ接続時の通信を説明するフローチャートである。
【図６】店舗端末の店舗情報を携帯端末に保存する方法を説明するフローチャートである。
【図７】店舗端末の商品情報を携帯端末に保存する方法を説明するフローチャートである。
【図８】ユーザ自宅の個人情報サーバのブロック図である。
【図９】個人情報サーバと携帯端末とのＰＡＮ接続時のＩＤ送信を説明するフローチャートである。
【図１０】携帯端末の情報データを個人情報端末に蓄積することを説明するフローチャートである。
【図１１】店舗および商品情報として提供するデータの記述形式を説明する図である。
【図１２】自宅の個人情報サーバのプロファイル記憶部に記憶するデータを説明する図である。
【図１３】プロファイルデータから集計の方法を説明する図である。
【図１４】プロファイルデータの集計結果をユーザへ提示する画面の例を説明する図である。
【図１５】本発明によるＩＤ変更型電子マネーの決済ステムを説明する図である。
【図１６】本発明の１実施例のシステム形態を示す図である。
【符号の説明】
【００４７】
１００…店舗端末，１０１…センサ，１０２…無線アンテナ，１０３…送受信回路部，１０４…演算処理部，１０５…情報記憶部，１０６…ＩＤ記憶部，２００…携帯端末，２０１…無線アンテナ，２０２…送受信回路部，２０３…ＧＰＳ処理部，２０４…時計機能部，２０５…演算処理部，２０６データ記憶部，２０７…情報表示部，２０８…電子マネー処理部，２０９…プロファイル記憶部，３００…個人情報サーバ，３０１…無線アンテナ，３０２…送受信回路部，３０３…演算処理部，３０４…情報記憶部，３０５…プロファイル記憶部，３０６…インターネット端末部，３０７…情報表示部，３０８…入力部，３０９…ＩＤ記憶部，４００…インターネットネットワーク，５００…ＷＥＢサーバ，５０１…電子マネー決済サーバ，６００…電子マネーチャージ端末
【図１】
2009080594.tif 000003
【図２】
2009080594.tif 000004
【図３】
2009080594.tif 000005
【図４】
2009080594.tif 000006
【図５】
2009080594.tif 000007
【図６】
2009080594.tif 000008
【図７】
2009080594.tif 000009
【図８】
2009080594.tif 000010
【図９】
2009080594.tif 000011
【図１０】
2009080594.tif 000012
【図１１】
2009080594.tif 000013
【図１２】
2009080594.tif 000014
【図１３】
2009080594.tif 000015
【図１４】
2009080594.tif 000016
【図１５】
2009080594.tif 000017
【図１６】
2009080594.tif 000018